(57)【要約】【課題】外観を損なうことがないとともに、内部の壁面等に付着している埃を充分に除去することができる清掃補助機構を備えた感知器および清掃方法を提供する。【解決手段】本体ベース（１１）と該本体ベースの上側を覆うカバー部材（１２）とからなる筐体の内部に、前記筐体に設けられた開口部（１２Ａ）から侵入した空気の成分の変化を検出する検出手段（１６Ａ，１６Ｂ）が収納されている感知器において、筐体の開口部とは異なる部位に設けられたパイプ挿入孔（１２ａ，１２ｂ）および該パイプ挿入孔を開放、閉塞可能な蓋部材（１８Ａ，１８Ｂ）と、蓋部材をパイプ挿入孔が閉塞される状態に付勢する弾性付勢手段とを備えるようにした。【選択図】図２
2019179330.tif 000002
【特許請求の範囲】
【請求項１】
本体ベースと該本体ベースの上側を覆うカバー部材とからなる筐体の内部に、前記筐体に設けられた開口部から侵入した空気の成分の変化を検出する検出手段が収納されている感知器において、
前記筐体の前記開口部とは異なる部位に設けられたパイプ挿入孔および該パイプ挿入孔を開放、閉塞可能な蓋部材と、
前記蓋部材を前記パイプ挿入孔が閉塞される状態に付勢する弾性付勢手段と、
を備えるように構成されていることを特徴とする感知器。
【請求項２】
前記パイプ挿入孔は、第１パイプ挿入孔と第２パイプ挿入孔とからなり、
前記第１パイプ挿入孔と第２パイプ挿入孔のそれぞれに前記蓋部材および前記弾性付勢手段が設けられ、
前記第１パイプ挿入孔と第２パイプ挿入孔へそれぞれ清掃用パイプを同時に挿入可能に構成されていることを特徴とする請求項１に記載の感知器。
【請求項３】
前記第１パイプ挿入孔と第２パイプ挿入孔は、前記筐体の取付け面と反対側の面の中心を通る直線上から偏位した位置に形成されていることを特徴とする請求項２に記載の感知器。
【請求項４】
前記検出手段は発光素子および受光素子を備えた光電式煙センサであり、
前記筐体の内部に外部からの光の侵入を防止し空気の侵入を許容する暗箱が設けられ、前記暗箱内に前記光電式煙センサが配設され、
前暗箱の前記筐体の前記第１パイプ挿入孔と第２パイプ挿入孔と対向する部位にそれぞれ同一の径を有するパイプ挿入孔が設けられていることを特徴とする請求項２又は３に記載の感知器。
【請求項５】
第１パイプおよび第２パイプとエアーポンプを備えた清掃装置により、筐体に一対のパイプ挿入孔が設けられている感知器の内部の埃を除去する感知器の清掃方法であって、
前記一対のパイプ挿入孔の一方へ前記第１パイプを、また前記一対のパイプ挿入孔の他方へ前記第２パイプをそれぞれ挿入し、
前記第１パイプから清浄な空気を噴出させながら前記第２パイプより空気を吸引して、埃を含んだ空気を前記筐体の外部へ排出するようにしたことを特徴とする感知器の清掃方法。
【請求項６】
前記第１パイプは、その先端部に、噴出した空気により前記筐体の内部にスワール成分を有する流れを発生可能な噴出口が設けられたパイプであり、
前記第１パイプから清浄な空気を噴出させて前記筐体の内部の空気にスワール成分を有する流れを発生させながら前記第２パイプより空気を吸引することを特徴とする請求項５に記載の感知器の清掃方法。
【請求項７】
前記第１パイプは、その先端部に、噴出した空気により前記筐体の内部にタンブル成分を有する流れを発生可能な噴出口が設けられたパイプであり、
前記第１パイプから清浄な空気を噴出させて前記筐体の内部の空気にタンブル成分を有する流れを発生させながら前記第２パイプより空気を吸引することを特徴とする請求項５に記載の感知器の清掃方法。
【請求項８】
前記第１パイプは、その先端部に、噴出した空気により前記筐体の内部にスワール成分およびタンブル成分を有する流れを発生可能な噴出口が設けられたパイプであり、
前記第１パイプから清浄な空気を噴出させて前記筐体の内部の空気にスワール成分およびタンブル成分を有する流れを発生させながら前記第２パイプより空気を吸引することを特徴とする請求項５に記載の感知器の清掃方法。
【発明の詳細な説明】
【技術分野】
【０００１】
本発明は、火災報知システム等に用いられる感知器に関し、特に埃の除去を補助する機構を備えた煙感知器に利用して有効な技術に関する。
【背景技術】
【０００２】
従来、建物内部に設けられている火災報知システムには、火災感知器として光電式の煙感知器等があり、感知器の火災検出信号は火災受信機へ伝達され、火災受信機が警報用のベルを鳴動させて火災の発生を報知したり、排煙装置等へ信号を送信して動作させたりするように構成されている。
光電式の煙感知器においては、一般に外部から光が入らないように構成された暗箱内に発光部と受光部が対をなすようにして配置されており、発光部から出射された光が火災発生時に暗箱内に入って来た煙によって遮断もしくは反射されることによって受光部の検出光量が変化するのを検知して火災発生の有無を判定している（例えば特許文献１、２）。
【０００３】
上記のように光電式の煙感知器は、暗箱内に外部から煙が入るのを許容する構成であるため外気中の埃の侵入を完全に防ぐことができないとともに、暗箱内に侵入した埃が発光部や受光部の表面、暗箱の壁面に付着したり堆積したりすると、感知機能の低下を招くという課題があることが知られている。
そのため、感度試験機を使用して感知機能が低下していないか調べる検査が定期的に行われている。そして、感知機能が低下している場合には、感知器を分解して内部の埃を除去する清掃作業を行うか新しいものと交換する必要があった。なお、人手による感知器の清掃作業の手間を減らすため、例えば特許文献１に記載されているような煙感知器の埃を除去するシステムに関する発明が提案されている。
【先行技術文献】
【特許文献】
【０００４】
【特許文献１】特開２００１−３４８６３号公報
【発明の概要】
【発明が解決しようとする課題】
【０００５】
感知器を分解して内部の埃を除去する清掃作業はクリーンな環境で行わないと組立て後の検知感度に影響を与えてしまうため、設置現場で簡単に行うことができないとともに、煙感知器の構造は比較的複雑であるので、一旦分解すると構造を知らない者が容易に元の状態に組み立てるのは困難である。そのため、清掃が行われずに廃棄されることもあった。
一方、特許文献１に記載されている発明においては、煙感知器に向けて清浄な乾燥空気を供給する送気管を設け、空気源から供給した空気を煙感知器に周期的に吹付け又は吹込んで感知器内に侵入した埃を排除するようにしている。
【０００６】
そのため、天井面等に設置されている煙感知器の周辺に送気管や該送気管に空気源からの空気を供給するポンプを設けておく必要があり、それによって外観が損なわれるとともに設置コストがかかるので、オフィスや一般家庭の室内に適用するには不向きである。また、煙感知器の外側から空気を吹付ける構成であるため、内部の壁面等に付着している埃を充分に除去することができないという課題がある。
【０００７】
本発明は上記のような課題に着目してなされたもので、その目的とするところは、外観を損なうことがないとともに、内部の壁面等に付着している埃を充分に除去することができる清掃補助機構を備えた感知器および清掃方法を提供することにある。
本発明の他の目的とするところは、ケースを分解することなく内部の壁面等に付着している埃を除去することができる感知器および清掃方法を提供することにある。
【課題を解決するための手段】
【０００８】
上記課題を解決するために、本発明は、
本体ベースと該本体ベースの上側を覆うカバー部材とからなる筐体の内部に、前記筐体に設けられた開口部から侵入した空気の成分の変化を検出する検出手段が収納されている感知器において、
前記筐体の前記開口部とは異なる部位に設けられたパイプ挿入孔および該パイプ挿入孔を開放、閉塞可能な蓋部材と、
前記蓋部材を前記パイプ挿入孔が閉塞される状態に付勢する弾性付勢手段と、
を備えるように構成したものである。
【０００９】
上記のような構成を有する感知器によれば、清浄な空気を噴出可能な清掃用パイプの先端をパイプ挿入孔へ挿入して清浄な空気をパイプより噴出させることによって、筐体内部の空気を撹拌させることができるため、筐体内に堆積もしくは内部空間の壁面や検出部の表面に付着している埃を舞い上がらせて空気に含ませ、外部へ排出させることができる。
また、パイプ挿入孔には、弾性付勢手段によって閉塞方向へ付勢された蓋部材が設けられているため、常態においてパイプ挿入孔から埃が入り込むのを防止することができるとともに、感知器の外観が損なわれることもない。さらに、筐体（ケース）を分解することなく内部の壁面等に付着している埃を除去することができるため、感知器を天井等に取り付けた状態のまま内部の清掃作業を実施することができ、作業効率を大幅に向上させることができる。
【００１０】
ここで、望ましくは、前記パイプ挿入孔は、第１パイプ挿入孔と第２パイプ挿入孔とからなり、
前記第１パイプ挿入孔と第２パイプ挿入孔のそれぞれに前記蓋部材および前記弾性付勢手段が設けられ、
前記第１パイプ挿入孔と第２パイプ挿入孔へそれぞれ清掃用パイプを同時に挿入可能に構成する。
【００１１】
かかる構成によれば、第１パイプ挿入孔へ挿入した第１パイプより清浄な空気を噴出させ、第２パイプ挿入孔へ挿入した第２パイプにより埃を含んだ筐体内部の空気を吸引することができるので、効率良く感知器の内部を清掃し、感知器の検出性能が低下するのを防止することができる。
【００１２】
さらに、望ましくは、前記第１パイプ挿入孔と第２パイプ挿入孔は、前記筐体の取付け面と反対側の面の中心を通る直線上から偏位した位置に形成されているようにする。
かかる構成によれば、清掃用パイプの先端をパイプ挿入孔へ挿入して空気を噴出させた際に、感知器の内部の空気に渦巻くような流れを生じさせ易くすることができ、それによって筐体内に堆積もしくは内部空間の壁面や検出部の表面に付着している埃を効率良く舞い上がらせて空気に含ませ、外部へ排出させることができる。
【００１３】
また、望ましくは、前記検出手段は発光素子および受光素子を備えた光電式煙センサであり、
前記筐体の内部に外部からの光の侵入を防止し空気の侵入を許容する暗箱が設けられ、前記暗箱内に前記光電式煙センサが配設され、
前暗箱の前記筐体の前記第１パイプ挿入孔と第２パイプ挿入孔と対向する部位にそれぞれ同一の径を有するパイプ挿入孔が設けられている構成とする。
かかる構成によれば、清掃用パイプの先端を筐体と暗箱に設けられているパイプ挿入孔へ挿入して空気を噴出させることで、暗箱を備えた煙感知器の暗箱内部の埃を除去することができる。
【００１４】
本出願の他の発明は、第１パイプおよび第２パイプとエアーポンプを備えた清掃装置により、筐体に一対のパイプ挿入孔が設けられている感知器の内部の埃を除去する感知器の清掃方法において、
前記一対のパイプ挿入孔の一方へ前記第１パイプを、また前記一対のパイプ挿入孔の他方へ前記第２パイプをそれぞれ挿入し、
前記第１パイプから清浄な空気を噴出させながら前記第２パイプより空気を吸引して、埃を含んだ空気を前記筐体の外部へ排出するようにしたものである。
【００１５】
かかる方法によれば、筐体（ケース）を分解することなく内部の壁面等に付着している埃を除去することができる。また、感知器を天井等に取り付けた状態のまま内部の清掃作業を実施することができ、作業効率を大幅に向上させることができる。さらに、第１パイプ挿入孔へ挿入した第１パイプより清浄な空気を噴出させ、第２パイプ挿入孔へ挿入した第２パイプにより埃を含んだ筐体内部の空気を吸引することができるので、効率良く感知器の内部を清掃し、感知器の検出性能が低下するのを防止することができる。
【００１６】
ここで、前記第１パイプは、その先端部に、噴出した空気により前記筐体の内部にスワール成分を有する流れを発生可能な噴出口が設けられたパイプであり、
前記第１パイプから清浄な空気を噴出させて前記筐体の内部の空気にスワール成分を有する流れを発生させながら前記第２パイプより空気を吸引するようにする。
あるいは、前記第１パイプは、その先端部に、噴出した空気により前記筐体の内部にタンブル成分を有する流れを発生可能な噴出口が設けられたパイプであり、
前記第１パイプから清浄な空気を噴出させて前記筐体の内部の空気にタンブル成分を有する流れを発生させながら前記第２パイプより空気を吸引するようにする。
【００１７】
さらに、前記第１パイプは、その先端部に、噴出した空気により前記筐体の内部にスワール成分およびタンブル成分を有する流れを発生可能な噴出口が設けられたパイプであり、前記第１パイプから清浄な空気を噴出させて前記筐体の内部の空気にスワール成分およびタンブル成分を有する流れを発生させながら前記第２パイプより空気を吸引するようにしてもよい。
上記のような方法によれば、感知器の内部の空気に渦巻くような流れを確実に生じさせることができるため、より強力に筐体内部の埃を舞い上がらせることができ、それによって効率良く感知器の内部の清掃を行うことができる。
【００１８】
さらに、前記第１パイプおよび前記第２パイプは、その先端から軸方向所定の位置の外周面にストッパが設けられたパイプであり、
前記第１パイプおよび前記第２パイプを前記ストッパが前記筐体の外表面に接触するまで挿入した後、前記第１パイプから清浄な空気を噴出させて前記筐体の内部の空気にスワール成分またはタンブル成分を有する流れを発生させながら前記第２パイプより空気を吸引するようにしても良い。
このような方法によれば、第１パイプの空気噴出口を容易かつ正確に所望の深さに位置させることができるため、感知器の内部の空気にスワールまたはタンブルを再現性良く生じさせることができ、それによって確実かつ効率良く感知器の内部の清掃を行うことができる。
【発明の効果】
【００１９】
本発明によれば、外観を損なうことがないとともに、内部の壁面等に付着している埃を充分に除去することができる清掃補助機構を備えた感知器および清掃方法を提供することができる。また、ケースを分解することなく内部の壁面等に付着している埃を除去することができる感知器および清掃方法を提供することができるという効果がある。
【図面の簡単な説明】
【００２０】
【図１】本発明に係る清掃補助機構を備えた感知器の一例としての光電式煙感知器の一実施形態を示すもので、（Ａ）は煙感知器の断面側面図、（Ｂ）はエアー噴出用のパイプと吸引用のパイプの配置例を示す平面図である。
【図２】図１に示す煙感知器に清掃装置を接続した状態を示す断面説明図である。
【図３】実施形態の煙感知器の第１の変形例を示す断面側面図である。
【図４】図３の変形例における感知器内部に吹き出された空気の流れの様子を示す平面説明図である。
【図５】実施形態の煙感知器の第２の変形例を示す断面側面図である。
【発明を実施するための形態】
【００２１】
以下、図面を参照して、本発明を適用した煙感知器の一例としての光電式煙感知器の一実施形態について説明する。
本実施形態の光電式煙感知器（以下、単に感知器と記す）１０は、火災に伴い発生した煙を感知可能な感知器であり、建造物の天井面などに設置されて使用されるように構成されている。なお、以下の説明では、感知器１０を建造物の天井面に設置した状態で上になる側を下側、下になる側を上側とする。図１（Ａ）は本発明を一実施形態の煙感知器の断面側面図、図１（Ｂ）はその平面図である。なお、図１（Ａ）と（Ｂ）とでは、異なる縮尺で感知器を表わしている。
【００２２】
図１（Ａ）に示すように、本実施形態の感知器１０は、感知部を収容するための収容凹部を有し建造物の天井面に取り付けるための円筒状の本体ベース１１と、ドーム状をなし前記本体ベース１１の上側全体を覆う感知器カバー１２と、本体ベース１１と感知器カバー１２とにより、内部に煙感知のための空間および電子部品を収容する空間を有する筐体が形成される。
【００２３】
また、感知器１０は、前記本体ベース１１と感知器カバー１２とにより形成される収容空間内に収容され固定される回路基板１３と、外部からの煙の侵入を許容する開口１４Ａを備えつつ外部光を遮断するラビリンス構造のような遮光壁を有し前記回路基板１３上に載置される暗箱１４とを備え、これらの構成部材が、上記筐体内に収納され本体ベース１１と感知器カバー１２とが結合されることで感知器が構成される。
【００２４】
一方、感知器カバー１２のドーム状の周壁部にも、暗箱の収納空間に連通する開口部１２Ａが円周方向に沿って複数個形成され、該開口部１２Ａが外部の煙をケース内部に流入可能にする煙流入口として機能するように構成されている。また、感知器カバー１２の内側であって暗箱１４の外側には、暗箱１４を囲むように、外部からの虫などの異物の侵入を阻止するための円筒状の防虫網１５が配設されている。
【００２５】
上記回路基板１３には、ＬＥＤ（発光ダイオード）のような発光素子１６Ａとフォトダイオードのような受光素子１６Ｂとが、互いの光軸が交差するような向きで実装されている。なお、図面では、発光素子１６Ａから受光素子１６Ｂへ光が入射可能な配置で示されているが、実際には、発光素子１６Ａからの光が受光素子１６Ｂへ直接入射しないようにするための遮光壁（図示省略）が形成される。発光素子１６Ａと受光素子１６Ｂとにより光電式煙センサが構成される。なお、回路基板１３は、上面および下面に火災感知のための電子回路を構成する抵抗や容量、ＩＣ（半導体集積回路）などの電子部品が実装されたプリント配線基板により構成されている。
【００２６】
本実施形態の感知器１０は、上記感知器カバー１２の上壁および暗箱１４の上壁に、互いに重なる位置に来るように、対をなすパイプ挿入孔１２ａ，１２ｂおよびパイプ挿入孔１４ａ，１４ｂが形成され、該暗箱１４のパイプ挿入孔１４ａ，１４ｂの近傍には、軸１７Ａ，１７Ｂにより回動可能に支承されパイプ挿入孔を内側から閉塞可能な開閉蓋１８Ａ，１８Ｂが設けられている。そして、開閉蓋１８Ａ，１８Ｂは図示しないトーションバネのような弾性付勢手段によって、常時パイプ挿入孔を閉塞する方向へ付勢されている。
【００２７】
上記パイプ挿入孔１２ａ，１２ｂおよび１４ａ，１４ｂは、図１（Ｂ）に示すように、中心＋を通る直線よりも煙検出手段（１６Ａ，１６Ｂ）から遠ざかる方向へ少し偏位した位置に、感知器内部の清掃装置を構成する直径５ｍｍ〜１５ｍｍ程度のパイプを挿通可能な大きさの円形をなすように形成されている。開閉蓋１８Ａ，１８Ｂとパイプ挿入孔１２ａ，１２ｂおよび１４ａ，１４ｂとによって、感知器の清掃補助機構が構成される。パイプ挿入孔１２ａ，１２ｂおよび１４ａ，１４ｂを設ける位置は、中心＋を通る直線上であっても良い。
【００２８】
清掃装置は、図２に示すように、エアーポンプ２１と、エアー噴出用のパイプ２２Ａおよび吸引用のパイプ２２Ｂと、パイプ２２Ａとエアーポンプ２１との間に設けられたフィルタ２３とによって構成されている。
また、特に限定されるものではないが、パイプ２２Ａおよび２２Ｂの外周には、挿入長さを規定するため、それぞれ先端から所定距離の位置にストッパ２１ａおよび２１ｂが形成されている。さらに、パイプ２２Ａ，２２Ｂの先端部外周面に弾性層等を形成して、パイプ２２Ａ，２２Ｂの先端部を感知器側のパイプ挿入孔１２ａ，１２ｂ；１４ａ，１４ｂに挿入した際に、弾性層が変形することで密着して軸方向の移動に対する抵抗力（抜止め力）を生じさせるように構成しても良い。
【００２９】
次に、上記のような構成を有する清掃装置を用いた感知器の清掃手順について、図２を用いて説明する。
感知器を清掃するに際しては、先ず感知器カバー１２の上壁のパイプ挿入孔１２ａ，１２ｂをめがけてパイプ２２Ａ，２２Ｂの先端部を、ストッパ２１ａ，２１ｂが感知器カバー１２の上面に当接するまで挿入する。すると、図２に示されているように、パイプ２２Ａ，２２Ｂの先端が、感知器内部の開閉蓋１７Ａ，１７Ｂをトーションバネの反発力に抗して押し込みながらパイプ挿入孔１４ａ，１４ｂを開かせて、パイプ２２Ａ，２２Ｂの先端が暗箱１４の内側空間に臨むようになる。
【００３０】
この状態で、エアーポンプ２１を動作させると、パイプ２２Ａを通して暗箱１４の内側空間へ清浄な空気が送り込まれてパイプの先端から高速で噴出され、内部の空気を撹拌することで、発光素子１６Ａおよび受光素子１６Ｂの表面や暗箱壁面に付着している埃を吹き落して巻き上げる。そして、埃を含んだ空気がパイプ２２Ｂにより吸引されることで、感知器内から埃が除去されることとなる。
この実施例の場合、パイプ２２Ａの先端の開口を発光素子１６Ａまたは受光素子１６Ｂの表面に向けて配設しておくことで、素子の表面に付着している埃をより効率良く除去することができる。しかも、本実施形態の感知器および清掃装置によれば、感知器を天井等の取付け面から外しても外さずに設置したままでも内部の埃を除去する清掃を実行することができる。
【００３１】
（変形例）
次に、図３〜図５を用いて、上記実施形態の変形例について説明する。
図３には第１の変形例が示されている。図１の実施例においては、パイプ２２Ａ，２２Ｂの先端の端面が開口しているのに対し、図３の第１変形例においては、パイプ２２Ａ，２２Ｂの先端の周壁の一部に、軸と平行な方向に細長いスリット状の開口２２ａ，２２ｂが形成されている。しかも、各開口２２ａ，２２ｂはそれぞれやや外側を向くように形成されている。
【００３２】
これにより、パイプ２２Ａより空気が噴出されると、噴出された空気は暗箱１４の壁面に沿って流れ、図４に符号Ｓで示すように、スワールと呼ばれる、渦巻くような空気の流れを生成する。そのため、このスワールによって暗箱１４の壁面や発光素子１６Ａおよび受光素子１６Ｂの表面に付着している埃を剥がし、剥がされた埃は空気の流れに乗って運ばれ、パイプ２２Ｂ先端の開口２２ｂにより吸引されて感知器の筐体外部へ排出される。
【００３３】
図５には第２の変形例が示されている。図５に示すように、図３の第２変形例においては、パイプ２２Ａ，２２Ｂの先端の周壁の一部に、水平方向すなわち感知器カバー１２の上壁と平行な方向に細長いスリット状の開口２２ａ’，２２ｂ’が形成されている。なお、各開口２２ａ’，２２ｂ’はそれぞれ暗箱１４の壁面から離れた方向を向くように形成されている。
【００３４】
上記のような構成を有する感知器１０において、パイプ２２Ａより空気が噴出されると、噴出された空気は暗箱１４の内部で、図５に符号Ｔで示すように、タンブルと呼ばれる、縦方向に渦巻きながら横方向へ移動するような空気の流れを生成する。そのため、このタンブルによって暗箱１４の壁面や発光素子１６Ａおよび受光素子１６Ｂの表面に付着している埃を剥がし、剥がされた埃は空気の流れに乗って運ばれ、パイプ２２Ｂ先端の開口２２ｂ’により吸引されて感知器の筐体外部へ排出される。
【００３５】
さらに、パイプ２２Ａ，２２Ｂをその軸の回りに回転させる回転機構を設けて、回転させながら噴出と吸引を行わせるように構成しても良い。
また、パイプ２２Ａ，２２Ｂの周壁の一部にスリット状の開口２２ａ，２２ｂは、軸方向や水平方向に限定されず、傾斜した向きに形成してスワール成分とタンブル成分を有する空気の流れを生成させるようにしても良い。
【００３６】
以上、本発明を実施形態に基づいて説明したが、本発明は上記実施形態のものに限定されるものではない。例えば、上記実施形態の煙感知器においては、噴出用パイプ２２Ａおよび吸引用パイプ２２Ｂの周壁の一部のスリット状の開口２２ａ，２２ｂを形成したものを示したが、開口２２ａ，２２ｂはスリット以外の形状でも良いし、開口２２ａの形状と開口２２ｂの形状が互い異なっていても良い。また、噴出用パイプ２２Ａの先端にノズルを設けたり、吸引用パイプ２２Ｂの先端をラッパ状に形成したりしても良いし、噴出用パイプの先端に設けたノズルを回転可能に構成しても良い。
【００３７】
さらに、上記実施形態では、噴出用と吸引用の一対のパイプを感知器の筐体内に挿入可能にするため一対のパイプ挿入孔１２ａ，１２ｂを設けているが、１つのパイプ挿入孔を設け、該パイプ挿入孔より噴出用パイプ２２Ａの先端を挿入して空気を噴出させ、煙導入用に設けられている開口部１２Ａより排出させることで、感知器内部を清掃できるように構成しても良い。
また、上記実施形態では、本発明を、発光素子と受光素子を有する光電式の煙感知器に適用したものを説明したが、本発明はそれに限定されず、ＣＯなどの有害ガスを検知するガスセンサが実装されたガス感知器等、本体ケースの一部に外部の空気を内部空間に導入する開口が設けられている感知器一般に利用することができる。
【符号の説明】
【００３８】
１０  煙感知器（光電式煙感知器）
１１  本体ベース（筐体）
１２  感知器カバー（筐体）
１２Ａ  開口部
１２ａ，１２ｂ  パイプ挿入孔
１３  回路基板
１４  暗箱
１４ａ，１４ｂ  パイプ挿入孔
１５  防虫網
１６Ａ  発光素子（検出手段）
１６Ｂ  受光素子（検出手段）
１７Ａ，１７Ｂ  開閉蓋（蓋部材）
２１  エアーポンプ
２２Ａ  噴出用パイプ（清掃用パイプ）
２２Ｂ  吸引用パイプ（清掃用パイプ）
２３  フィルタ
【図１】
2019179330.tif 000003
【図２】
2019179330.tif 000004
【図３】
2019179330.tif 000005
【図４】
2019179330.tif 000006
【図５】
2019179330.tif 000007